(57)【要約】【課題】給紙ローラと用紙との当接圧力を増加させる新規な構成を備える用紙搬送装置および画像形成装置を提供する。【解決手段】用紙搬送装置４は、用紙Ｓを支持する支持トレイ２２と、用紙Ｓと当接することにより揺動する切替レバー９４と、切替レバー９４と一体的に変位する爪部９５と、爪部９５と係合することにより回転方向への回転が規制されるロックカム８３と、ロックカム８３を回転方向に付勢するバネ９６と、ロックカム８３と一体的に回転する欠け歯ギア８２と、欠け歯ギア８２と係合した際に駆動力を欠け歯ギア８２に伝達する駆動ギア８０と、支持トレイ２２に支持される用紙Ｓを搬送する給紙ローラ４１と、欠け歯ギア８２から駆動力が伝達されて給紙ローラ４１および支持トレイ２２の何れか一方を他方に対して近接する方向へ変位させ、給紙ローラ４１と支持トレイ２２に支持される用紙Ｓとの当接圧力を増加させるように駆動する駆動機構とを備える。【選択図】図３
2019131329.tif 000002
【特許請求の範囲】
【請求項１】
用紙を支持する用紙支持部と、
前記用紙支持部に支持される用紙と当接可能であり、前記用紙と当接することにより揺動する第１レバーと、
前記第１レバーと一体的に変位する爪部と、
回転可能であるとともに前記爪部と係合可能であり、前記爪部と係合することにより回転方向への回転が規制される第１カムと、
前記第１カムを前記回転方向に付勢するバネと、
前記第１カムと一体的に回転する欠け歯ギアと、
前記欠け歯ギアと係合可能であり、前記欠け歯ギアと係合した際に駆動力を前記欠け歯ギアに伝達する駆動ギアと、
前記用紙支持部に支持される用紙と当接して回転することにより、前記用紙を搬送する給紙ローラと、
前記欠け歯ギアから駆動力が伝達されて、前記給紙ローラおよび前記用紙支持部の何れか一方を他方に対して近接する方向へ変位させ、前記給紙ローラと前記用紙支持部に支持される用紙との当接圧力を増加させるように駆動する駆動機構とを備えることを特徴とする用紙搬送装置。
【請求項２】
前記用紙支持部は揺動可能に支持され、
前記駆動機構は、
前記第１カムと一体的に回転する第２カムと、
前記第２カムと当接し前記第２カムの回転に伴って揺動するアームと、
前記アームと前記用紙支持部とを連結する連結部とを有することを特徴とする請求項１に記載の用紙搬送装置。
【請求項３】
前記給紙ローラに前記駆動ギアからの駆動力を伝達する駆動力伝達部を備え、
前記駆動力伝達部は、前記給紙ローラへの駆動力の伝達および切断を切り替える電磁クラッチを有することを特徴とする請求項１又は請求項２に記載の用紙搬送装置。
【請求項４】
前記第１レバーは、前記用紙支持部の上方に配置され揺動中心となる揺動軸部と、前記揺動軸部の下方に配置され前記用紙と当接する当接部とを有することを特徴とする請求項１〜請求項３の何れか一項に記載の用紙搬送装置。
【請求項５】
前記第１レバーは、用紙搬送方向と直交する方向を幅方向としたときに、前記用紙支持部の幅方向中央部に設けられていることを特徴とする請求項１〜請求項４の何れか一項に記載の用紙搬送装置。
【請求項６】
前記第１レバーよりも用紙搬送方向上流側に配置され、前記用紙支持部に支持される用紙を前記用紙支持部側へ向けて押圧する第２レバーを有することを特徴とする請求項１〜請求項５の何れか一項に記載の用紙搬送装置。
【請求項７】
請求項１〜請求項６の何れか一項に記載の用紙搬送装置を備えることを特徴とする画像形成装置。
【発明の詳細な説明】
【技術分野】
【０００１】
本発明は、用紙支持部に支持される用紙を搬送するための給紙ローラを備えた用紙搬送装置及び画像形成装置に関する。
【背景技術】
【０００２】
従来、用紙支持部に支持される用紙を搬送するための給紙ローラを備えた用紙搬送装置においては、給紙ローラを用紙支持部に支持された用紙に当接させるとともに給紙ローラと用紙との当接圧力を増加させた状態で給紙ローラを駆動し、用紙を搬送するように構成されたものがある。
【０００３】
例えば特許文献１においては、用紙支持部に支持される用紙に給紙ローラを当接させるとともに給紙ローラと用紙との当接圧力を増加させるために、ソレノイドを用いて給紙ローラを用紙側へ付勢する構成の用紙搬送装置が開示されている。
【先行技術文献】
【特許文献】
【０００４】
【特許文献１】特開２００９−００７１１８号公報
【発明の概要】
【発明が解決しようとする課題】
【０００５】
本発明においては、用紙支持部に支持された用紙を給紙ローラにより搬送する際に、用紙に給紙ローラを当接させるとともに給紙ローラと用紙との当接圧力を増加させるための新規な構成を備える用紙搬送装置および画像形成装置を提供するものである。
【課題を解決するための手段】
【０００６】
上記課題を解決する用紙搬送装置および画像形成装置は、以下の特徴を有する。
即ち、画像形成装置（１）が備える用紙搬送装置（４）は、用紙（Ｓ）を支持する用紙支持部（２２）と、前記用紙支持部（２２）に支持される用紙（２）と当接可能であり、前記用紙（Ｓ）と当接することにより揺動する第１レバー（９４）と、前記第１レバー（９４）と一体的に変位する爪部（９５）と、回転可能であるとともに前記爪部（９５）と係合可能であり、前記爪部（９５）と係合することにより回転方向への回転が規制される第１カム（８３）と、前記第１カム（８３）を前記回転方向に付勢するバネ（９６）と、前記第１カム（８３）と一体的に回転する欠け歯ギア（８２）と、前記欠け歯ギア（８２）と係合可能であり、前記欠け歯ギア（８２）と係合した際に駆動力を前記欠け歯ギア（８２）に伝達する駆動ギア（８０）と、前記用紙支持部（２２）に支持される用紙（Ｓ）と当接して回転することにより、前記用紙（Ｓ）を搬送する給紙ローラ（４１）と、前記欠け歯ギア（８２）から駆動力が伝達されて、前記給紙ローラ（４１）および前記用紙支持部（２２）の何れか一方を他方に対して近接する方向へ変位させ、前記給紙ローラ（４１）と前記用紙支持部（２２）に支持される用紙（Ｓ）との当接圧力を増加させるように駆動する駆動機構とを備える。
【発明の効果】
【０００７】
本発明によれば、ソレノイドを用いることなく、用紙支持部に支持される用紙と給紙ローラとの当接圧力を増加させることができる新規な構成の用紙搬送装置および画像形成装置を提供することが可能である。
【図面の簡単な説明】
【０００８】
【図１】支持トレイが離間位置にある状態の用紙搬送装置を備えた画像形成装置を示す中央断面図である。
【図２】支持トレイが給紙位置にある状態の用紙搬送装置を備えた画像形成装置を示す中央断面図である。
【図３】切替レバーが第１切替位置に変位するとともに、支持トレイが離間位置に変位した状態の用紙搬送装置を示す左側面図である。
【図４】切替レバーが第１切替位置に変位するとともに、支持トレイが離間位置に変位した状態の用紙搬送装置を示す右側面図である。
【図５】切替レバーが第２切替位置に変位するとともに、支持トレイが離間位置に変位した状態の用紙搬送装置を示す左側面図である。
【図６】切替レバーが第２切替位置に変位するとともに、支持トレイが離間位置に変位した状態の用紙搬送装置を示す右側面図である。
【図７】切替レバーが第２切替位置に変位するとともに、支持トレイが給紙位置に変位した状態の用紙搬送装置を示す左側面図である。
【図８】切替レバーが第２切替位置に変位するとともに、支持トレイが給紙位置に変位した状態の用紙搬送装置を示す右側面図である。
【図９】（ａ）は支持トレイの幅方向中央部に配置された切替レバー、および支持可能な最大の幅方向寸法を有する用紙を支持した支持トレイを示す後面断面図、（ｂ）は支持トレイの幅方向中央部に配置された切替レバー、および支持可能な最小の幅方向寸法を有する用紙を支持した支持トレイを示す後面断面図である。
【図１０】第２実施形態にかかる用紙搬送装置であって、ローラホルダが給紙ローラが用紙から離間する第２位置に変位した状態の用紙搬送装置を示す側面図である。
【図１１】第２実施形態にかかる用紙搬送装置であって、ローラホルダが給紙ローラが用紙に当接する第１位置に変位した状態の用紙搬送装置を示す側面図である。
【発明を実施するための形態】
【０００９】
次に、本発明を実施するための形態を、添付の図面を用いて説明する。
【００１０】
[画像形成装置の全体構成]
図１、図２に示す画像形成装置１は、本発明に係る用紙搬送装置を備えた画像形成装置の一実施形態であり、筐体２と、画像形成部５と、給紙部３と、用紙搬送装置４と、排出部７と、モータ１１とを備えている。
画像形成部５は用紙Ｓに画像を形成し、給紙部３は用紙Ｓを画像形成部５に供給する。用紙搬送装置４は支持トレイ２２に支持された用紙Ｓを画像形成部５に向けて搬送する。排出部７は画像形成部５にて画像が形成された用紙Ｓを筐体２の外部に排出する。支持トレイ２２は用紙を支持する用紙支持部の一例である。
【００１１】
以下の説明においては、図１における右側を画像形成装置１の前側、図１における左側を画像形成装置１の後側と規定し、図１における紙面手前側を画像形成装置１の左側、図１における紙面奥側を画像形成装置１の右側と規定する。また、図１における上下方向を画像形成装置１の上下方向と規定する。
【００１２】
筐体２は、略直方体形状に形成される箱体であり、給紙部３、画像形成部５、及び排出部７を収容している。筐体２は、前面に開口する開口部２Ａと、開口部２Ａを開閉可能な前面カバー２１と、前面カバー２１に支持され、前面カバー２１が開いた状態において用紙Ｓを支持可能な支持トレイ２２とを備えている。また、筐体２の上面は上面カバー２３により覆われている。
【００１３】
支持トレイ２２は前端部に回動軸部２２ａを有している。支持トレイ２２の前端部は、開閉カバー２１により回動軸部２２ａを中心として回動可能に支持されている。支持トレイ２２の後端部は、図１に示す状態において筐体２の前端部に位置する支持面２Ｃに支持されている。
上面カバー２３の上面には、前側から後側へ向かって下り傾斜するように凹む排出トレイ２３ａが形成されている。
【００１４】
給紙部３は、シートカセット３１と、給紙ローラ３２と、分離ローラ３３と、分離パッド３３ａと、レジストローラ対３５ａ、３５ｂとを備えている。筐体２内には、シートカセット３１から画像形成部５を経由して排出トレイ２３ａへ至る搬送経路Ｐが構成されている。
【００１５】
シートカセット３１は、複数枚の用紙Ｓを積層状態で支持している。シートカセット３１に支持される用紙Ｓは、給紙ローラ３２により分離ローラ３３側へ繰り出されるとともに、分離ローラ３３及び分離パッド３３ａにより１枚ずつ分離されて搬送経路Ｐに送り出される。
【００１６】
搬送経路Ｐに送り出された用紙Ｓは、搬送経路Ｐにおける分離ローラ３３よりも下流側に配置されるレジストローラ対３５ａ、３５ｂにより、画像形成部５に向けて搬送される。レジストローラ対３５ａ、３５ｂは、搬送される用紙Ｓの先端の移動を規制して一旦停止させた後、用紙Ｓを所定のタイミングにて画像形成ユニット５の転写位置に向けて搬送する。
【００１７】
画像形成ユニット５はシートカセット３１の上方に配置されており、供給ユニット３から搬送されてきた用紙Ｓの表面に画像を転写するプロセスカートリッジ５０と、プロセスカートリッジ５０の感光体ドラム５４の表面を露光する露光ユニット５６と、プロセスカートリッジ５０により用紙Ｓに転写された画像を定着させる定着ユニット６０とを備えている。
【００１８】
プロセスカートリッジ５０は、現像ローラ５３と、感光体ドラム５４と、転写ローラ５５等とを備えている。
露光ユニット５６は、レーザダイオード、ポリゴンミラー、レンズ、及び反射鏡等を備えており、画像形成装置１に入力された画像データに基づいてレーザ光を感光体ドラム５４へ向けて照射することにより、感光体ドラム５４の表面を露光する。
【００１９】
感光体ドラム５４は、現像ローラ５３に隣接して配置されている。感光体ドラム５４の表面は、図示しない帯電器により一様に正帯電された後、露光ユニット５６により露光される。感光体ドラム５４の露光された部分は他の部分よりも電位が低くなり、感光体ドラム５４に画像データに基づく静電潜像が形成される。
そして、静電潜像が形成された感光体ドラム５４の表面に、正に帯電されたトナーが現像ローラ５３から供給されることにより、静電潜像が顕像化されて現像剤像となる。
【００２０】
転写ローラ５５は、感光体ドラム５４に対向配置され、図示しないバイアス印加手段により負の転写バイアスが印加される。転写ローラ５５の表面に転写バイアスがされている状態で、現像剤像が形成された感光体ドラム５４と転写ローラ５５との間（転写位置）で用紙Ｓを挟持しなから搬送することにより、感光体ドラム５４の表面に形成された現像剤像が用紙Ｓの表面に転写される。
【００２１】
定着ユニット６０は、加熱ローラ６１と加圧ローラ６２とを備えている。加熱ローラ６１はモータ１１からの駆動力により回転駆動され、加熱ローラ６１は図示しない電源から電力を供給することで加熱される。加圧ローラ６２は加熱ローラ６１に対向配置されており、加熱ローラ６１に密着して従動回転する。現像剤像が転写された用紙Ｓが定着ユニット６０に搬送されてくると、加熱ローラ６１と加圧ローラ６２との間で用紙Ｓを挟持しながら搬送し、用紙Ｓに現像剤像を定着させる。
【００２２】
排出部７は排出ローラ対７１、７１を備えており、定着ユニット６０から搬送されてくる用紙Ｓを筐体２の外部へ向けて排出する。具体的には、定着ユニット６０から搬送されてくる用紙Ｓを、排出ローラ対７１、７１により上面カバー２３の上面に形成される排出トレイ２３ａに排出する。
【００２３】
用紙搬送装置４は筐体２の開口部２Ａに配置されており、支持トレイ２２に支持された用紙Ｓを画像形成部５へ向けて搬送可能に構成されている。
【００２４】
[用紙搬送装置の第１実施形態]
次に、用紙搬送装置の第１実施形態について説明する。
図１、図２に示すように、用紙搬送装置４は、支持トレイ２２と、給紙ローラ４１と、分離ローラ４２と、分離パッド４３と、ローラホルダ４５とを備えている。
【００２５】
支持トレイ２２は、用紙Ｓを支持するトレイである。給紙ローラ４１は、支持トレイ２２に支持される用紙Ｓと当接して回転することにより用紙Ｓを搬送する。
【００２６】
分離ローラ４２は、給紙ローラ４１よりも用紙Ｓの搬送方向下流側に配置され、給紙ローラ４１により送り出された用紙Ｓを搬送する。分離パッド４３は、分離ローラ４２に対向して配置されている。筐体２は、前方から後方へいくにつれて上方へ傾斜する傾斜面に形成され搬送される用紙Ｓをガイドするガイド面２Ｂを有している。分離パッド４３はガイド面２Ｂに設けられている。
【００２７】
支持トレイ２２の後端部を支持する支持面２Ｃはガイド面２Ｂの前方かつ下方に配置されており、支持面２Ｃとガイド面２Ｂとの間には段差が形成されている。
支持トレイ２２は、回動軸部２２ａを中心に下方へ回動して給紙ローラ４１から離間する離間位置（図１に示す位置）と、回動軸部２２ａを中心に上方へ回動して支持トレイ２２に支持される用紙Ｓが給紙ローラ４１に当接する給紙位置（図２に示す位置）との間で揺動可能に構成されている。支持トレイ２２が給紙位置に変位した状態では、給紙ローラ４１が支持トレイ２２に支持される用紙Ｓに圧接しており、給紙ローラ４１と用紙Ｓとの当接圧力が増加した状態となっている。
【００２８】
給紙ローラ４１および分離ローラ４２は、モータ１１により駆動される。ローラホルダ４５は、給紙ローラ４１および分離ローラ４２を支持するホルダ部材である。
給紙ローラ４１は回転軸部４１ａを有しており、ローラホルダ４５に回転軸部４１ａを中心として回転可能に支持されている。分離ローラ４２は回転軸部４２ａを有しており、ローラホルダ４５に回転軸部４２ａを中心として回転可能に支持されている。ローラホルダ４５は、給紙ローラ４１を上下方向に変位しないように支持している。
【００２９】
用紙搬送装置４は、支持トレイ２２が給紙位置に変位したときに給紙ローラ４１および分離ローラ４２を駆動して、用紙Ｓを分離ローラ４２と分離パッド４３との間で１枚ずつ分離しながら画像形成部５に向けて搬送する。
【００３０】
図３、図４に示すように、用紙搬送装置４は、接触子９１と、アーム９０と、引っ張りバネ９２と、プレロード部材９３と、駆動ギア８０と、欠け歯ギア８２と、カム部材８４とを備えている。カム部材８４は第２カムの一例である。
支持トレイ２２の後端部からは支持アーム２２ｂが上方へ延出しており、支持アーム２２ｂの上端部には左右方向へ突出する支持突起２２ｃが形成されている。
【００３１】
接触子９１は支持トレイ２２の支持突起２２ｃと係合可能に構成されている。アーム９０は上下方向へ変位可能に構成されている。引っ張りバネ９２は、接触子９１とアーム９０との間に介装されている。プレロード部材９３は、接触子９１とアーム９０との間に介装され、引っ張りバネ９２を自然長よりも伸長した状態に保持している。駆動ギア８０はモータ１１により回転駆動される。
【００３２】
欠け歯ギア８２は、駆動ギア８０と係合可能なギアであり、歯が設けられている有歯部８２１と、歯が設けられていない第１欠け歯部８２２ａ、および第１欠け歯部８２２ａと異なる位相に配置される第２欠け歯部８２２ｂとを有している。
欠け歯ギア８２は、駆動ギア８０の位置に有歯部８２１が位置する回転位置にあるときには、有歯部８２１と駆動ギア８０とが係合し、駆動ギア８０の位置に第１欠け歯部８２２ａまたは第２欠け歯部８２２ｂが位置する回転位置にあるときには、駆動ギア８０と係合しない。
【００３３】
欠け歯ギア８２は、有歯部８２１が駆動ギア８０と係合した場合に駆動ギア８０により回転駆動される。つまり、駆動ギア８０は、欠け歯ギア８２と係合した際に駆動力を欠け歯ギア８２に伝達する。
欠け歯ギア８２が駆動ギア８０と係合した場合に回転する方向が、欠け歯ギア８２の回転方向である。例えば、欠け歯ギア８２は、駆動ギア８０と係合すると図４における時計回り方向に回転される。
カム部材８４は欠け歯ギア８２と一体的に回転駆動される。
【００３４】
引っ張りバネ９２は、第１端（図３、図４における上端）がアーム９０の係合部９０１と係合し、第２端（図３、図４における下端）が接触子９１の係合部９１ａと係合しており、アーム９０と接触子９１とを互いに近づく方向に引っ張る引っ張りバネである。
【００３５】
アーム９０は、揺動軸９０ａを中心として揺動可能に構成されており、揺動軸９０ａを中心として揺動することで、引っ張りバネ９２との係合部９０１が上下に変位するように構成されている。
用紙搬送装置４においては、アーム９０の係合部９０１が上下方向へ変位することにより支持トレイ２２が上下方向へ揺動するように構成されている。
【００３６】
アーム９０は、カム部材８４に接触して係合する接触部９０２を有している。
アーム９０は、回転駆動されるカム部材８４と接触部９０２とが係合することにより、係合部９０１が上方に変位した状態の第１ポジション（図７、図８に示すポジション）と、係合部９０１が下方に変位した状態の第２ポジション（図３、図４に示すポジション）との間で変位する。つまり、カム部材８４は、アーム９０の係合部９０１を上下方向に変位させるカム部材である。また、アーム９０は、カム部材８４と当接しカム部材８４の回転に伴って揺動するアーム部材である。
【００３７】
具体的には、カム部材８４は、欠け歯ギア８２が駆動ギア８０の位置に第１欠け歯部８２２ａが位置する回転位置にあるときに、アーム９０を第２ポジションに変位させ、欠け歯ギア８２が駆動ギア８０の位置に第２欠け歯部８２２ｂが位置する回転位置にあるときに、アーム９０を第１ポジションに変位させる。
【００３８】
プレロード部材９３は、上下方向に延びる略円筒状部材であり、内部に引っ張りバネ９２が収容されている。
第２ポジションに変位したアーム９０の係合部９０１はプレロード部材９３の上端面と当接しており、プレロード部材９３の下端部は、接触子９１の上端部に連結されている。
【００３９】
プレロード部材９３は、上端面が係合部９０１と当接し、下端部が接触子９１と連結されることで、係合部９０１と接触子９１との間隔を一定の間隔に保持している。この一定の間隔は、アーム９０と接触子９１との間に介装される引っ張りバネ９２が自然長よりも伸長した状態となる間隔であり、引っ張りバネ９２は引っ張り方向の付勢力が生じた状態に保持される。
【００４０】
プレロード部材９３が係合部９０１と接触子９１との間に介装された状態では、係合部９０１と接触子９１とには、引っ張りバネ９２による互いに近づく方向の付勢力が作用しており、この付勢力により係合部９０１がプレロード部材９３の上端面に押圧された状態となる。
【００４１】
接触子９１は、アーム９０における係合部９０１の上下方向への変位に伴って上下方向へ変位する。接触子９１は、支持トレイ２２の支持突起２２ｃと係合する孔部９１１を有している。孔部９１１の内周面は下端に底面９１１ａを有している。支持トレイ２２の支持突起２２ｃは孔部９１１の底面９１１ａと係合している。
接触子９１の孔部９１１と支持トレイ２２の支持突起２２ｃとが係合することで、アーム９０と支持トレイ２２とが連結されている。つまり、引っ張りバネ９２および接触子９１によって、アーム９０と支持トレイ２２とを連結する連結部が構成されている。
【００４２】
アーム９０が第２ポジションに変位しているときには、支持トレイ２２は離間位置に揺動している。アーム９０がカム部材８４により第２ポジションから第１ポジションに変位すると、支持突起２２ｃが上方へ変位し、支持トレイ２２は給紙ローラ４１に近接して離間位置から給紙位置に揺動する。逆に、アーム９０が第１ポジションから第２ポジションに変位すると、支持突起２２ｃが下方へ変位して、支持トレイ２２は給紙ローラ４１から離間して給紙位置から離間位置に揺動する。
【００４３】
用紙搬送装置４においては、カム部材８４と、アーム９０と、連結部を構成する引っ張りバネ９２および接触子９１とによって、支持トレイ２２を離間位置と給紙位置との間で揺動させる駆動機構が構成されている。
駆動機構は、欠け歯ギア８２から駆動力が伝達されて、支持トレイ２２を給紙ローラ４１に対して近接する方向へ変位させ、給紙ローラ４１と支持トレイ２２に支持される用紙Ｓとの当接圧力を増加させるように駆動する機構である。
【００４４】
用紙搬送装置４は、切替レバー９４と、爪部９５と、ロックカム８３と、バネ９６と、駆動力伝達部８５とを備えている。切替レバー９４は第１レバーの一例であり、ロックカム８３は第１カムの一例である。
切替レバー９４は、支持トレイ２２に支持される用紙Ｓと当接可能であり、用紙Ｓと当接することにより揺動する。切替レバー９４は、支持トレイ２２の上方に配置され揺動中心となる揺動軸部９４ａと、揺動軸部９４ａの下方に配置され用紙Ｓと当接する当接部９４ｂとを有している。当接部９４ｂは、揺動軸部９４ａから下方へ向けて延出している。
【００４５】
切替レバー９４は揺動軸部９４ａを中心にして揺動することにより、当接部９４ｂが前方へ揺動するとともに当接部９４ｂの下端部が支持トレイ２２に形成されるセンサ孔２２ｄに挿入された状態となる第１切替位置（図３に示す位置）と、当接部９４ｂが後方へ揺動するとともに当接部９４ｂの下端部がセンサ孔２２ｄから上方へ抜け出た状態となる第２切替位置（図５に示す位置）との間で変位可能に構成されている。
切替レバー９４は、付勢バネ９４ｃにより、切替レバー９４に外力が作用していないときには第１切替位置に変位するように付勢されている。
【００４６】
切替レバー９４は、支持トレイ２２に用紙Ｓが支持されていないときには、センサ孔２２ｄが用紙Ｓにより閉塞されておらず開放されているため、付勢バネ９４ｃの付勢力により当接部９４ｂの下端部がセンサ孔２２ｄに挿入されて、第１切替位置に変位する。
また、切替レバー９４は、支持トレイ２２に用紙Ｓが支持されているときには、用紙Ｓによりセンサ孔２２ｄが閉塞されて当接部９４ｂの下端部がセンサ孔２２ｄに入ることができないため、第２切替位置に変位する。
【００４７】
爪部９５は切替レバー９４と一体的に変位する。爪部９５は、第１爪部９５１と第２爪部９５２とを有している。
ロックカム８３は、欠け歯ギア８２と一体的に回転可能であり、爪部９５と係合可能である。ロックカム８３は、爪部９５の第１爪部９５１と係合可能な第１カム部８３１と、爪部９５の第２爪部９５２と係合可能な第２カム部８３２とを有している。ロックカム８３は、カム部材８４と一体的に回転可能である。
【００４８】
第１爪部９５１は、欠け歯ギア８２が駆動ギア８０の位置に第１欠け歯部８２２ａが位置する回転位置にあるときに第１カム部８３１に係合可能であり、第２爪部９５２は、欠け歯ギア８２が駆動ギア８０の位置に第２欠け歯部８２２ｂが位置する回転位置にあるときに第２カム部８３２に係合可能である。
【００４９】
切替レバー９４が第１切替位置にあるときには、第１爪部９５１が第１カム部８３１に係合するとともに第２爪部９５２が第２カム部８３２から離間して、駆動ギア８０により駆動される欠け歯ギア８２を、駆動ギア８０の位置に第１欠け歯部８２２ａが位置する回転位置で停止させることが可能である。
切替レバー９４が第２切替位置にあるときには、第２爪部９５２が第２カム部８３２に係合するとともに第１爪部９５１が第１カム部８３１から離間して、駆動ギア８０により駆動される欠け歯ギア８２を、駆動ギア８０の位置に第２欠け歯部８２２ｂが位置する回転位置で停止させることが可能である。
【００５０】
ロックカム８３は欠け歯ギア８２と一体的に回転可能であり、第１爪部９５１が第１カム部８３１に係合することにより回転方向への回転が規制される。また、ロックカム８３は、第２爪部９５２が第２カム部８３２に係合することにより回転方向への回転が規制される。
【００５１】
切替レバー９４が第１切替位置に変位して、欠け歯ギア８２が駆動ギア８０の位置に第１欠け歯部８２２ａが位置する回転位置で停止している状態では、欠け歯ギア８２と駆動ギア８０とは係合しないため、欠け歯ギア８２が停止していても、駆動ギア８０は回転可能である。
また、切替レバー９４が第２切替位置に変位して、欠け歯ギア８２が駆動ギア８０の位置に第２欠け歯部８２２ｂが位置する回転位置で停止している状態においても、第１ギア８３と駆動ギア８０とは係合しないため、欠け歯ギア８２が停止していても、駆動ギア８０は回転可能である。
【００５２】
ロックカム８３は、バネ９６に係止する第１係止片８３３および第２係止片８３４を有している。第１係止片８３３および第２係止片８３４は、欠け歯ギア８２と一体的に回転可能である。
図４に示すように、バネ９６は、欠け歯ギア８２が駆動ギア８０の位置に第１欠け歯部８２２ａが位置する回転位置にあるときに第１係止片８３３に係止して、欠け歯ギア８２を回転方向に付勢するように構成されている。
【００５３】
バネ９６が第１係止片８３３に係止している状態で、切替レバー９４が第１切替位置から第２切替位置に変位すると、第１カム部８３１に係合していた第１爪部９５１が第１カム部８３１から離間し、欠け歯ギア８２は駆動ギア８０の位置に第１欠け歯部８２２ａが位置する回転位置から回転方向に回転可能となる。
欠け歯ギア８２が回転可能になると、欠け歯ギア８２はバネ９６の付勢力によって、第１欠け歯部８２２ａよりも回転方向の上流側に位置する有歯部８２１と駆動ギア８０とが係合する回転位置まで回転される。
【００５４】
つまり、バネ９６は、第１欠け歯部８２２ａが駆動ギア８０の位置にある回転位置の欠け歯ギア８２を回転方向に付勢して、有歯部８２１と駆動ギア８０とが係合する回転位置まで回転させることが可能である。
【００５５】
図８に示すように、バネ９６は、欠け歯ギア８２が駆動ギア８０の位置に第２欠け歯部８２２ｂが位置する回転位置にあるときに第２係止片８３４に係止して、欠け歯ギア８２を回転方向に付勢するように構成されている。
【００５６】
バネ９６が第２係止片８３４に係止している状態で、切替レバー９４が第２切替位置から第１切替位置に変位すると、第２カム部８３２に係合していた第２爪部９５２が第２カム部８３２から離間し、欠け歯ギア８２は駆動ギア８０の位置に第２欠け歯部８２２ｂが位置する回転位置から回転方向に回転可能となる。
欠け歯ギア８２が回転可能になると、欠け歯ギア８２はバネ９６の付勢力によって、第２欠け歯部８２２ｂよりも回転方向の上流側に位置する有歯部８２１と駆動ギア８０とが係合する回転位置まで回転される。
【００５７】
つまり、バネ９６は、第２欠け歯部８２２ｂが駆動ギア８０の位置にある回転位置の欠け歯ギア８２を回転方向に付勢して、有歯部８２１と駆動ギア８０とが係合する回転位置まで回転させることが可能である。
【００５８】
駆動力伝達部８５は、給紙ローラ４１に駆動ギア８０からの駆動力を伝達する機構である。駆動力伝達部８５は、駆動ギア８０と係合する中間ギア８５１と、中間ギア８５１と給紙ローラ４１との間に介装される電磁クラッチ８５２とを有している。電磁クラッチ８５２は、中間ギア８５１から給紙ローラ４１への駆動力の伝達および切断を切り替えるクラッチ部材であり、画像形成装置１が備える制御部によって動作が制御されている。つまり、電磁クラッチ８５２は、制御部の制御により、中間ギア８５１から給紙ローラ４１へ駆動力が伝達される伝達状態と、中間ギア８５１から給紙ローラ４１へ駆動力が伝達されない切断状態とに切替可能に構成されている。
【００５９】
［用紙搬送装置の動作］
このように構成される用紙搬送装置４は、以下のように動作する。
図３、図４に示す用紙搬送装置４は初期状態にある。用紙搬送装置４が初期状態にあって、支持トレイ２２に用紙Ｓが支持されていない状態では、切替レバー９４は第１切替位置に変位し、爪部９５の第１爪部９５１が第１カム部８３１に係合して、欠け歯ギア８２が駆動ギア８０の位置に第１欠け歯部８２２ａが位置する回転位置で停止している。また、バネ９６は第１係止片８３３に係止しており、欠け歯ギア８２はバネ９６により回転方向に付勢されている。
【００６０】
この状態では、欠け歯ギア８２と駆動ギア８０と係合しておらず、駆動ギア８０はモータ１１からの駆動力により回転している。また、電磁クラッチ８５２は、画像形成装置１の制御部により切断状態に切り替えられており、給紙ローラ４１は駆動されていない。
さらに、アーム９０は第２ポジションに変位していて、支持トレイ２２は離間位置に揺動している。
【００６１】
この状態から、用紙Ｓを支持トレイ２２に対して前方から後方へ向けて差し入れると、用紙Ｓの後端（図３における左端）が切替レバー９４の当接部９４ｂに当接して、当接部９４ｂが用紙Ｓにより後方へ押圧される。当接部９４ｂが用紙Ｓにより後方へ押圧されると、図５、図６に示すように、切替レバー９４が第１切替位置から第２切替位置に変位する。
【００６２】
切替レバー９４が第２切替位置に変位した状態では、当接部９４ｂの下端部がセンサ孔２２ｄから上方へ抜け出た状態となるため、用紙Ｓを支持トレイ２２の後端の位置まで差し入れることが可能となる。支持トレイ２２の後端まで差し入れられた用紙Ｓは、支持トレイ２２に支持された状態となる（図５参照）。
【００６３】
ここで、用紙搬送装置４は、切替レバー９４よりも前方、すなわち用紙Ｓの搬送方向上流側に配置される用紙押圧レバー９７を有している。用紙押圧レバー９７は、第２レバーの一例である。
用紙押圧レバー９７は、支持トレイ２２の上方に配置される回動軸部９７ａと、回動軸部９７ａにより上下方向へ回動可能に支持される押圧部９７ｂとを有している。押圧部９７ｂは自重により下方へ回動し、用紙Ｓを支持していない状態の支持トレイ２２に当接するように構成されている。
【００６４】
用紙Ｓを支持トレイ２２に対して前方から後方へ向けて差し入れると、用紙Ｓの後端が用紙押圧レバー９７の押圧部９７ｂに当接する。用紙Ｓをさらに差し入れると、用紙Ｓが押圧部９７ｂを上方へ押し上げて、用紙Ｓは支持トレイ２２と押圧部９７ｂとの間に進入する。用紙Ｓが支持トレイ２２と押圧部９７ｂとの間に進入した状態では、用紙Ｓが押圧部９７ｂにより支持トレイ２２側へ向けて押圧された状態となる。
【００６５】
用紙Ｓがさらに後方へ差し入れられると、押圧部９７ｂに押圧された用紙Ｓが切替レバー９４の当接部９４ｂに当接する。この場合、押圧部９７ｂに押圧された用紙Ｓにはコシが生じるため、用紙Ｓは当接部９４ｂに当接した際に座屈することなく当接部９４ｂを押圧して、切替レバー９４を第１切替位置から第２切替位置に変位させることが可能となっている。
この効果は、支持トレイ２２に差し入れる用紙Ｓの枚数が１枚であるなど、差し入れる用紙Ｓの枚数が少ないときに、特に顕著に発揮される。
【００６６】
切替レバー９４が第１切替位置から第２切替位置に変位すると、爪部９５が切替レバー９４と一体的に回動して第１爪部９５１が第１カム部８３１から離間し、欠け歯ギア８２が回転可能になる。回転可能になった欠け歯ギア８２は、バネ９６により回転方向に付勢されているため、バネ９６の付勢力により回転方向への回転を開始する。欠け歯ギア８２がバネ９６の付勢力により回転すると、欠け歯ギア８２の有歯部８２１と駆動ギア８０とが係合し、欠け歯ギア８２は駆動ギア８０からの駆動力により回転する。
【００６７】
図７、図８に示すように、駆動ギア８０からの駆動力により回転する欠け歯ギア８２が、駆動ギア８０の位置に第２欠け歯部８２２ｂが位置する回転位置に達すると、駆動ギア８０と有歯部８２１との係合状態が解除され、駆動ギア８０から欠け歯ギア８２に対する駆動力の供給が絶たれる。しかし、欠け歯ギア８２は回転可能であり、バネ９６が第２係止片８３４に係止して欠け歯ギア８２を回転方向に付勢しているため、欠け歯ギア８２はバネ９６の付勢力により、爪部９５の第２爪部９５２が第２カム部８３２に係止する回転位置まで回転される。第２爪部９５２が第２カム部８３２に係止する回転位置まで欠け歯ギア８２が回転された状態においても、駆動ギア８０の位置に第２欠け歯部８２２ｂが位置しており、欠け歯ギア８２と駆動ギア８０とは係合していない。
【００６８】
このように、欠け歯ギア８２が駆動ギア８０の位置に第２欠け歯部８２２ｂが位置する回転位置に達すると、アーム９０がカム部材８４により第１ポジションに変位されて、支持トレイ２２が給紙位置に揺動する。支持トレイ２２が給紙位置に揺動すると、給紙ローラ４１と支持トレイ２２に支持される用紙Ｓとが当接し、給紙ローラ４１と用紙Ｓとの当接圧力が増加した状態となる。
【００６９】
支持トレイ２２が離間位置から給紙位置に揺動する際には、上方へ変位する支持トレイ２２に押圧されて切替レバー９４の当接部９４ｂが上方へ回動する。この場合、切替レバー９４の当接部９４ｂが支持トレイ２２に押圧されて第２切替位置から上方へ回動する際に、爪部９５は回動せずに第２爪部９５２が第２カム部８３２に係合した状態を保持するように構成することができる。つまり、切替レバー９４が第１切替位置から第２切替位置に変位するときには切替レバー９４と爪部９５とが一体的に変位し、切替レバー９４の当接部９４ｂが第２切替位置から上方へ回動するときには、切替レバー９４が爪部９５に対して回動するように構成することができる。
【００７０】
支持トレイ２２が給紙位置に揺動した後に、電磁クラッチ８５２が画像形成装置１の制御部により伝達状態に切り替えられて、給紙ローラ４１の駆動が開始される。
給紙ローラ４１の駆動が開始されると、支持トレイ２２に支持される用紙Ｓが給紙ローラ４１および給紙ローラ４１とともに駆動される分離ローラ４２により１枚ずつ分離されて画像形成部５へ向けて前方から後方に搬送される。
画像形成装置１の制御部は、用紙搬送装置４により必要な枚数の用紙Ｓが搬送されると、電磁クラッチ８５２を切断状態に切り替えて、用紙搬送装置４による用紙Ｓの搬送を停止する。
【００７１】
電磁クラッチ８５２が切断状態に切り替えられて用紙搬送装置４による用紙Ｓの搬送が停止された場合であっても、支持トレイ２２に支持される用紙Ｓが残っている場合は、切替レバー９４は第２切替位置に変位した状態が維持されるため、支持トレイ２２は給紙位置に揺動したままである。
【００７２】
このように、用紙搬送機構４においては、給紙ローラ４１の駆動を、支持トレイ２２を離間位置と給紙位置との間で揺動させる駆動機構とは別の電磁クラッチ８５２により制御している。従って、駆動機構の駆動とは独立して給紙ローラ４１による用紙Ｓの給紙タイミングを制御することができ、給紙タイミングの自由度を向上させることが可能となっている。
【００７３】
一方、用紙Ｓが給紙ローラ４１により搬送されて、支持トレイ２２に支持される用紙Ｓが無くなると、当接部９４ｂの下端部をセンサ孔２２ｄに挿入することが可能となり、切替レバー９４が第２切替位置から第１切替位置に変位する。
切替レバー９４が第１切替位置に変位すると、爪部９５の第２爪部９５２が第２カム部８３２から離間して、欠け歯ギア８２が回転方向へ回転可能となる。
【００７４】
駆動ギア８０の位置に第２欠け歯部８２２ｂが位置する回転位置にある欠け歯ギア８２は回転可能になると、バネ９６の付勢力により、第２欠け歯部８２２ｂよりも回転方向の上流側に位置する有歯部８２１と駆動ギア８０とが係合する回転位置まで回転される。
欠け歯ギア８２が有歯部８２１と駆動ギア８０とが係合する回転位置に達すると、駆動ギア８０の駆動力により回転する。駆動ギア８０の駆動力により回転する欠け歯ギア８２が、駆動ギア８０の位置に第１欠け歯部８２２ａが位置する回転位置に達すると、アーム９０はカム部材８４により第２ポジションに変位される。図３に示すように、アーム９０が第２ポジションに変位すると支持トレイ２２は離間位置に揺動して、支持トレイ２２が給紙ローラ４１から離間する。
【００７５】
また、欠け歯ギア８２が駆動ギア８０の位置に第１欠歯部８２２ａが位置する回転位置に達すると、駆動ギア８０と有歯部８２１との係合状態が解除されて、駆動ギア８０から欠け歯ギア８２に対する駆動力の供給が絶たれる。しかし、欠け歯ギア８２は回転可能であり、バネ９６が第１係止片８３３に係止して欠け歯ギア８２を回転方向に付勢しているため、欠け歯ギア８２はバネ９６の付勢力により、爪部９５の第１爪部９５１が第１カム部８３１に係合する回転位置まで回転される。これにより、用紙搬送装置４は初期位置に戻る。
【００７６】
このように、用紙搬送装置４においては、支持トレイ２２に支持される用紙Ｓが切替レバー９４の当接部９４ｂに当接して、切替レバー９４を第１切替位置から第２切替位置に変位させることで、支持トレイ２２を給紙ローラ４１に近接させて、支持トレイ２２に支持される用紙Ｓと給紙ローラ４１との当接圧力を増加させることが可能である。
従って、ソレノイドを用いることなく、支持トレイ２２に支持される用紙Ｓと給紙ローラ４１との当接圧力を増加させることができる新規な構成の用紙搬送装置４を提供することが可能となっている。
【００７７】
この場合、用紙Ｓによって切替レバー９４を第１切替位置から第２切替位置に変位させて、カム部材８４によりアーム９０を第２ポジションから第１ポジションへ変位させるとともに、支持トレイ２２を離間位置から給紙位置へ揺動させることにより、支持トレイ２２を給紙ローラ４１に近接させることが可能である。
【００７８】
また、支持トレイ２２は、用紙Ｓが１枚搬送される毎に離間位置と給紙位置との間で揺動するのではなく、支持トレイ２２に用紙Ｓが支持されてから支持トレイ２２に支持される用紙Ｓが無くなるまで給紙位置に揺動したままとなるので、支持トレイ２２に支持された用紙Ｓの安定性が向上するとともに、騒音の抑制を図ることが可能となっている。
【００７９】
さらに、支持トレイ２２が離間位置に揺動している状態で、支持トレイ２２に用紙Ｓを差し入れた場合、差し入れた用紙Ｓが筐体２における支持面２Ｃとガイド面２Ｂとの間の段差に当接して、それ以上筐体２の内部側に差し入れられることが抑制される。
これにより、支持トレイ２２に差し入れた用紙Ｓが分離ローラ４２と分離パッド４３とのニップ部まで達することを抑制することができ、用紙Ｓの搬送不良を低減することが可能である。
【００８０】
また、切替レバー９４の当接部９４ｂは、揺動軸部９４ａから下方へ向けて延出しているため、支持トレイ２２に支持される用紙Ｓの枚数が少ないときには、用紙Ｓが当接部９４ｂの揺動軸部９４ａから離れた箇所に当接することとなり、小さな当接力でも切替レバー９４を揺動し易くなっている。
なお、切替レバー９４の当接部９４ｂは、支持トレイ２２に用紙Ｓが支持されているか支持されていないかを検知する用紙検知センサの当接子として用いることができる。
【００８１】
また、図９に示すように、切替レバー９４は、用紙Ｓの搬送方向と直交する方向を幅方向としたときに、支持トレイ２２の幅方向中央部に配置することが好ましい。
切替レバー９４を支持トレイ２２の幅方向中央部に配置した場合、例えば図９（ａ）に示すように、支持トレイ２２が支持可能な最大の幅方向寸法を有する用紙Ｓを支持トレイ２２が支持した場合、用紙Ｓを当接部９４ｂに当接させて切替レバー９４を第１切替位置から第２切替位置に変位させることが可能である。
【００８２】
また、図９（ｂ）に示すように、支持トレイ２２が支持可能な最小の幅方向寸法を有する用紙Ｓを支持トレイ２２が支持した場合、用紙Ｓを当接部９４ｂに当接させて切替レバー９４を第１切替位置から第２切替位置に変位させることが可能である。
このように、切替レバー９４を支持トレイ２２の幅方向中央部に配置することで、最大の幅方向寸法を有する用紙Ｓから最小の幅方向寸法を有する用紙Ｓまでの様々な幅方向寸法を有する用紙Ｓにより、切替レバー９４を第１切替位置から第２切替位置に変位させることが可能になる。
【００８３】
［用紙搬送装置の第２実施形態］
用紙搬送装置の第１実施形態では、給紙ローラ４１を上下方向へ変位しないように設けるとともに、駆動機構により支持トレイ２２を給紙ローラ４１に対して近接する方向へ変位させることにより、給紙ローラ４１と支持トレイ２２に支持される用紙Ｓとの当接圧力を増加させるように構成した用紙搬送装置４について説明したが、用紙搬送装置４は次のように構成することもできる。
【００８４】
つまり、用紙搬送装置４は、支持トレイ２２を上下方向へ変位しないように設けるとともに、駆動機構により給紙ローラ４１を支持トレイ２２に対して近接する方向へ変位させることにより、給紙ローラ４１と支持トレイ２２に支持される用紙Ｓとの当接圧力を増加させるように構成することもできる。
なお、第２実施形態にかかる切替レバー９４、爪部９５、ロックカム８３、バネ９６、欠け歯ギア８２、駆動ギア８０、駆動力伝達部８５、および駆動機構は、第１実施形態と同様の構成であるため、説明を省略する。
【００８５】
図１０に示す用紙搬送装置４においては、支持トレイ２２は上下方向へ変位しないように設けられており、ローラホルダ４５は、給紙ローラ４１を分離ローラ４２の回転軸部４２ａを中心として上下方向へ揺動可能に支持している。ローラホルダ４５は左右方向に突出する突起部４６を有している。
【００８６】
前後方向において、給紙ローラ４１は回転軸４２ａよりも前方に位置しており、突起部４６ａは回転軸４２ａよりも後方に位置している。回転軸４２ａを中心として揺動可能な給紙ローラ４１は、ローラホルダ４５に外力が作用していない状態では自重により下方へ揺動して、支持トレイ２２に支持される用紙Ｓに接触するように構成されている。
【００８７】
また、ローラホルダ４５の突起部４６に対して上方の荷重が作用すると、ローラホルダ４５には給紙ローラ４１が下方へ揺動する方向の力が加わり、給紙ローラ４１が支持トレイ２２に支持される用紙Ｓに押圧される。つまり、突起部４６ａに上方の荷重が作用すると、給紙ローラ４１と支持トレイ２２に支持される用紙Ｓとの当接圧力が増加する。
【００８８】
一方、ローラホルダ４５の突起部４６に対して下向きの荷重が作用すると、ローラホルダ４５には給紙ローラ４１が上方へ揺動する方向の力が加わり、給紙ローラ４１が自重に抗して支持トレイ２２に支持される用紙Ｓから離間する方向へ揺動する。
ローラホルダ４５は、給紙ローラ４１が用紙Ｓに当接する第１位置と、給紙ローラ４１が用紙Ｓから離間する第２位置とに変位可能に構成されている。
【００８９】
ローラホルダ４５の突起部４６は、接触子９１の孔部９１１と係合している。孔部９１１は底面９１１ａおよび上面９１１ｂを有している。
図１０に示すように、アーム９０が第２ポジションに変位した状態では、接触子９１が下方に変位して突起部４６が孔部９１１の上面９１１ｂに当接し、突起部４６は上面９１１ｂにより下方へ押圧される。突起部４６が下方へ押圧されると突起部４６に対して下向きの荷重が作用し、給紙ローラ４１が第２位置に変位して用紙Ｓから離間する。
【００９０】
一方、図１１に示すように、アーム９０が第１ポジションに変位した状態では、接触子９１が上方に変位して突起部４６が孔部９１１の底面９１１ａに当接し、突起部４６は底面９１１ａにより上方へ押圧される。突起部４６が上方へ押圧されると突起部４６に対して上向きの荷重が作用し、給紙ローラ４１が第１位置に変位するとともに用紙Ｓに押圧されて、給紙ローラ４１と支持トレイ２２に支持される用紙Ｓとの当接圧力が増加する。
【００９１】
用紙搬送装置４においては、駆動機構のアーム９０を第２ポジションから第１ポジションに変位させることで、給紙ローラ４１を支持トレイ２２に対して近接する方向へ変位させ、給紙ローラ４１と支持トレイ２２に支持される用紙Ｓとの当接圧力を増加させることが可能となっている。
これにより、支持トレイ２２に支持される用紙Ｓが切替レバー９４の当接部９４ｂに当接して、切替レバー９４を第１切替位置から第２切替位置に変位させることで、給紙ローラ４１を支持トレイ２２に近接させて、支持トレイ２２に支持される用紙Ｓと給紙ローラ４１との当接圧力を増加させることが可能である。
【００９２】
[本実施形態おける効果] 
本実施形態においては、画像形成装置１は以下のような用紙搬送装置４を備えている。
つまり、用紙搬送装置４は、支持トレイ２２と、切替レバー９４と、爪部９５と、ロックカム８３と、バネ９６と、欠け歯ギア８２と、駆動ギア８０と、給紙ローラ４１と、駆動機構とを備える。
支持トレイ２２は、用紙Ｓを支持する。切替レバー９４は、支持トレイ２２に支持される用紙Ｓと当接可能であり、用紙Ｓと当接することにより揺動する。爪部９５は、切替レバー９４と一体的に変位する。ロックカム８３は、回転可能であるとともに爪部９５と係合可能であり、爪部９５と係合することにより回転方向への回転が規制される。バネ９６は、ロックカム８３を回転方向に付勢する。欠け歯ギア８２は、ロックカム８３と一体的に回転する。駆動ギア８０は、欠け歯ギア８２と係合可能であり、欠け歯ギア８２と係合した際に駆動力を欠け歯ギア８２に伝達する。給紙ローラ４１は、支持トレイ２２に支持される用紙Ｓと当接して回転することにより、用紙Ｓを搬送する。駆動機構は、欠け歯ギア８２から駆動力が伝達されて、給紙ローラ４１および支持トレイ２２の何れか一方を他方に対して近接する方向へ変位させ、給紙ローラ４１と支持トレイ２２に支持される用紙Ｓとの当接圧力を増加させるように駆動する。
【００９３】
このように、支持トレイ２２に支持される用紙Ｓが切替レバー９４の当接部９４ｂに当接することにより、支持トレイ２２に支持される用紙Ｓと給紙ローラ４１との当接圧力を増加させることができるため、ソレノイドを用いることなく、支持トレイ２２に支持される用紙Ｓと給紙ローラ４１との当接圧力を増加させることができる新規な構成の用紙搬送装置４を提供することが可能である。
【００９４】
また、支持トレイ２２は揺動可能に支持され、駆動機構は、ロックカム８３と一体的に回転するカム部材８４と、カム部材８４と当接しカム部材８４の回転に伴って揺動するアーム９０と、アーム９０と支持トレイ２２とを連結する連結部とを有する。
これにより、切替レバー９４が支持トレイ２２に支持される用紙Ｓと当接することにより支持トレイ２２を揺動させて、給紙ローラ４１に近接させることができる。
【００９５】
また、給紙ローラ４１に駆動ギア８０からの駆動力を伝達する駆動力伝達部８５を備え、駆動力伝達部８５は、給紙ローラ４１への駆動力の伝達および切断を切り替える電磁クラッチ８５２を有する。
これにより、駆動機構の駆動とは独立して給紙ローラ４１による給紙タイミングを制御することができる。
【００９６】
また、切替レバー９４は、支持トレイ２２の上方に配置され揺動中心となる揺動軸部９４ａと、揺動軸部９４ａの下方に配置され用紙Ｓと当接する当接部９４ｂとを有する。
このように、当接部９４ｂが揺動軸部９４ａの下方に位置するため、支持トレイ２２に支持される用紙Ｓの枚数が少ないときには、用紙Ｓが切替レバー９４の揺動軸部９４ａから離れた箇所に当接することとなり、小さな当接力でも切替レバー９４が揺動し易くなる。
【００９７】
また、切替レバー９４は、用紙搬送方向と直交する方向を幅方向としたときに、支持トレイ２２の幅方向中央部に設けられている。
これにより、様々な幅方向寸法を有する用紙Ｓにより切替レバー９４を揺動させることができる。
【００９８】
また、切替レバー９４よりも用紙搬送方向上流側に配置され、支持トレイ２２に支持される用紙Ｓを支持トレイ２２側へ向けて押圧する用紙押圧レバー９７を有する。
これにより、支持トレイ２２に支持される用紙Ｓが１枚であったとしても、用紙押圧レバー９７により押圧されることによって用紙Ｓにコシが生じ、切替レバー９４を揺動させることができる。
【符号の説明】
【００９９】
１    画像形成装置
４    用紙搬送装置
２２    支持トレイ
４１    給紙ローラ
４６  突起部
８２    欠け歯ギア
８３    ロックカム
８４    カム部材
８５    駆動力伝達部
９０    アーム
９０ａ  揺動軸
９１    接触子
９２    引っ張りバネ
９４    切替レバー
９４ａ  揺動軸部
９４ｂ  当接部
９５    爪部
９６    バネ
９７    用紙押圧レバー
８５２    電磁クラッチ
Ｓ    用紙
【図１】
2019131329.tif 000003
【図２】
2019131329.tif 000004
【図３】
2019131329.tif 000005
【図４】
2019131329.tif 000006
【図５】
2019131329.tif 000007
【図６】
2019131329.tif 000008
【図７】
2019131329.tif 000009
【図８】
2019131329.tif 000010
【図９】
2019131329.tif 000011
【図１０】
2019131329.tif 000012
【図１１】
2019131329.tif 000013